(57)【要約】【課題】入力負担を軽減する。【解決手段】実施形態の電子機器は、取得手段と、入力受付手段と、送信手段と、を備える。取得手段は、コンテンツを識別するコンテンツ識別情報と、当該コンテンツのシーンを識別するシーン識別情報と、を取得する。入力受付手段は、コンテンツ識別情報及びシーン識別情報により識別されるコンテンツのシーンに関連する場所を指し示す、位置情報の入力を受け付ける。送信手段は、他の電子機器に対して提供するためにコンテンツ識別情報とシーン識別情報と位置情報とを対応付けて管理する管理装置に対して、取得手段が取得したコンテンツ識別情報と、取得手段が取得したシーン識別情報と、入力受付手段が入力を受け付けた位置情報と、を送信する。【選択図】図４
2013031129.tif 000002
【特許請求の範囲】
【請求項１】
コンテンツを識別するコンテンツ識別情報と、当該コンテンツのシーンを識別するシーン識別情報と、を取得する取得手段と、
前記コンテンツ識別情報及び前記シーン識別情報により識別されるコンテンツのシーンに関連する場所を指し示す、位置情報の入力を受け付ける入力受付手段と、
他の電子機器に対して提供するためにコンテンツ識別情報とシーン識別情報と位置情報とを対応付けて管理する管理装置に対して、前記取得手段が取得した前記コンテンツ識別情報と、前記取得手段が取得した前記シーン識別情報と、前記入力受付手段が入力を受け付けた前記位置情報と、を送信する送信手段と、
を備える電子機器。
【請求項２】
前記コンテンツ識別情報と、前記シーン識別情報と、前記位置情報と、を対応付けて前記管理装置から受信する受信手段と、
表示装置に表示されるコンテンツのシーンを識別する前記コンテンツ識別情報及び前記シーン識別情報と、対応付けられた前記位置情報が示す場所を、前記地図情報上に表示する表示制御手段と、
をさらに備える請求項１に記載の電子機器。
【請求項３】
前記受信手段は、一つの前記コンテンツ識別情報と対応付けられた前記位置情報を複数個受信し、
前記受信手段が受信した前記複数個の位置情報のうち、任意の位置情報を基準として所定の範囲から外れた位置情報を、前記表示制御手段による表示制御の対象から除外する除外手段を、
さらに備える請求項２に記載の電子機器。
【請求項４】
前記受信手段は、さらに、前記位置情報を前記管理装置に送信した電子機器を識別する機器識別情報を、前記位置情報と対応付けて受信し、
前記受信手段が受信した前記機器識別情報のうち、一つの前記機器識別情報と対応付けられた前記位置情報が所定の数以上の場合に、当該当該所定の数以上の位置情報を、前記表示制御手段による表示制御の対象から除外する除外手段を、
さらに備える請求項２に記載の電子機器。
【請求項５】
コンテンツを表示装置に表示制御する表示制御手段を、さらに備え、
前記取得手段は、前記表示制御手段により表示制御されている前記コンテンツを識別するコンテンツ識別情報と、前記表示制御手段により表示されている前記コンテンツのシーンを示すシーン識別情報と、を取得する、
請求項１又は２に記載の電子機器。
【請求項６】
前記取得手段は、テレビジョン装置に表示制御されている前記コンテンツを識別するコンテンツ識別情報と、当該テレビジョン装置が当該コンテンツの再生を開始した時刻に基づいて所定の時刻に前記テレビジョン装置が表示制御しているシーンを示すシーン識別情報と、を取得する、
請求項１乃至４のいずれか一つに記載の電子機器。
【請求項７】
コンテンツを識別するコンテンツ識別情報と、当該コンテンツのシーンを識別するシーン識別情報と、前記コンテンツの前記シーンに関連する場所を指し示す位置情報と、を受信する受信手段と、
前記受信手段が受信した前記コンテンツ識別情報と、前記シーン識別情報と、前記位置情報と、を対応付けて記憶する記憶手段と、
電子機器から、位置情報の取得要求と共に前記コンテンツ識別情報を前記受信手段により受信された場合に、受信した当該コンテンツ識別情報と前記記憶手段で対応付けられている前記位置情報と前記シーン識別情報とを、当該電子機器に送信する送信手段と、
を備える管理装置。
【請求項８】
前記位置情報の取得要求と共に受信した前記コンテンツ識別情報と対応付けられている、前記複数個の位置情報のうち、任意の位置情報を基準として所定の範囲から外れた位置情報を、前記送信手段による送信対象から除外する除外手段を、
さらに備える請求項７に記載の管理装置。
【請求項９】
前記位置情報の取得要求と共に受信した前記コンテンツ識別情報と対応付けられている、前記複数個の位置情報及び前記機器識別情報のうち、一の前記機器識別情報と対応付けられた前記位置情報が所定の数以上の場合に、当該所定の数以上の当該位置情報を、前記送信手段による送信対象から除外する除外手段を、
さらに備える請求項７に記載の管理装置。
【請求項１０】
電子機器で実行される情報処理方法であって、
取得手段が、コンテンツを識別するコンテンツ識別情報と、当該コンテンツのシーンを識別するシーン識別情報と、を取得する取得ステップと、
入力受付手段が、前記コンテンツ識別情報及び前記シーン識別情報により識別されるコンテンツのシーンに関連する場所を指し示す、位置情報の入力を受け付ける入力受付ステップと、
送信手段が、他の電子機器に対して提供するためにコンテンツ識別情報とシーン識別情報と位置情報とを対応付けて管理する管理装置に対して、前記取得ステップが取得した前記コンテンツ識別情報と、前記取得ステップが取得した前記シーン識別情報と、前記入力受付ステップが入力を受け付けた前記位置情報と、を送信する送信ステップと、
を含む情報処理方法。
【請求項１１】
受信手段が、管理装置で実行される情報処理方法であって、コンテンツを識別するコンテンツ識別情報と、当該コンテンツのシーンを識別するシーン識別情報と、前記コンテンツの前記シーンに関連する場所を指し示す位置情報と、を受信する受信ステップと、
前記受信手段が受信した前記コンテンツ識別情報と、前記シーン識別情報と、前記位置情報と、を対応付けて記憶手段に登録する登録ステップと、
電子機器から、位置情報の取得要求と共に前記コンテンツ識別情報を受信した場合に、受信した当該コンテンツ識別情報と前記記憶手段で対応付けられている前記位置情報と前記シーン識別情報とを、当該電子機器に送信する送信ステップと、
を含む情報処理方法。
【請求項１２】
コンテンツを識別するコンテンツ識別情報と、当該コンテンツのシーンを識別するシーン識別情報と、を取得する取得ステップと、
前記コンテンツ識別情報及び前記シーン識別情報が識別するコンテンツのシーンに関連する場所を指し示す、位置情報の入力を受け付ける入力受付ステップと、
他の電子機器に対して提供するためにコンテンツ識別情報とシーン識別情報と位置情報とを対応付けて管理する管理装置に対して、前記取得ステップが取得した前記コンテンツ識別情報と、前記取得ステップが取得した前記シーン識別情報と、前記入力受付ステップが入力を受け付けた前記位置情報と、を送信する送信ステップと、
をコンピュータに実行させるためのプログラム。
【発明の詳細な説明】
【技術分野】
【０００１】
本発明の実施形態は、電子機器、管理装置、情報処理方法、及びプログラムに関する。
【背景技術】
【０００２】
従来、テレビジョン受像装置等のコンテンツ再生装置のコンピュータ技術の発達に伴い、コンテンツを利用する際に、当該コンテンツと共に様々なサービスとを組み合わせて利用する技術が提案されている。
【０００３】
例えば、デジタルテレビジョン放送では、ＥＰＧ（電子番組ガイド）などに利用される番組情報（番組名、番組開始時間、番組メタ情報、番組ジャンル情報等）を、各デジタルテレビジョン装置に対して送信している。そこで、番組提供者を含む様々なサービス提供者は、送信されている番組情報に関連する情報を、デジタルテレビジョン放送又はネットワーク等を介して提供する技術が提案されている。例えば、サービス提供者が、番組情報と関連付けて、当該番組に関連する場所を示す位置情報を提供する技術が提案されている。これにより、ユーザは、提供されている情報を参照し、番組に関連する場所に行く等が容易となる。
【先行技術文献】
【特許文献】
【０００４】
【特許文献１】特開２００７−２７９９８号公報
【発明の概要】
【発明が解決しようとする課題】
【０００５】
しかしながら、従来技術においては、サービス提供者側が、コンテンツに関連付けて提供したい情報を予め登録しておく必要があるため、負担が大きいという問題があった。
【０００６】
本発明は、上記に鑑みてなされたものであって、登録の負担を軽減した電子機器、管理装置、情報処理方法、及びプログラムを提供することを目的とする。
【課題を解決するための手段】
【０００７】
実施形態の電子機器は、取得手段と、入力受付手段と、送信手段と、を備える。取得手段は、コンテンツを識別するコンテンツ識別情報と、当該コンテンツのシーンを識別するシーン識別情報と、を取得する。入力受付手段は、コンテンツ識別情報及びシーン識別情報により識別されるコンテンツのシーンに関連する場所を指し示す、位置情報の入力を受け付ける。送信手段は、他の電子機器に対して提供するためにコンテンツ識別情報とシーン識別情報と位置情報とを対応付けて管理する管理装置に対して、取得手段が取得したコンテンツ識別情報と、取得手段が取得したシーン識別情報と、入力受付手段が入力を受け付けた位置情報と、を送信する。
【図面の簡単な説明】
【０００８】
【図１】図１は、第１の実施形態にかかるメタデータ管理サーバとテレビジョン装置の概要を示した図である。
【図２】図２は、第１の実施形態にかかるテレビジョン装置のハードウェア構成を示した図である。
【図３】図３は、第１の実施形態にかかるメタデータ管理サーバのハードウェア構成を示した図である。
【図４】図４は、第１の実施形態にかかるテレビジョン装置とメタデータ管理サーバとのソフトウェア構成を示した図である。
【図５】図５は、第１の実施形態にかかるメタデータ管理サーバの位置メタデータ記憶部のテーブル構造を示した図である。
【図６】図６は、第１の実施形態にかかるテレビジョン装置における、位置情報の入力を受け付ける際の画面例を示した図である。
【図７】図７は、第１の実施形態にかかる表示制御部及び地図情報表示制御部が表示する画面例を示した図である。
【図８】図８は、第１の実施形態にかかるテレビジョン装置及びメタデータ管理サーバにおける位置情報を登録するまでの処理手順を示したフローチャートである。
【図９】図９は、第１の実施形態にかかるテレビジョン装置及びメタデータ管理サーバにおける、シーンに対応する位置情報を表示するまでの処理手順を示したフローチャートである。
【図１０】図１０は、第２の実施形態にかかるメタデータ管理サーバとテレビジョン装置と携帯端末装置との概要を示した図である。
【図１１】図１１は、第２の実施形態にかかる携帯端末装置のハードウェア構成を示した図である。
【図１２】図１２は、第２の実施形態にかかるテレビジョン装置とメタデータ管理サーバと携帯端末装置とのソフトウェア構成を示した図である。
【図１３】図１３は、第２の実施形態にかかる携帯端末装置における、位置情報の入力を受け付ける際の画面例を示した図である。
【図１４】図１４は、第２の実施形態にかかる、テレビジョン装置の表示制御部及び携帯端末装置の地図情報表示制御部が表示する画面例１を示した図である。
【図１５】図１５は、第２の実施形態にかかる、テレビジョン装置の表示制御部及び携帯端末装置の地図情報表示制御部が表示する画面例２を示した図である。
【図１６】図１６は、第２の実施形態にかかる、携帯端末装置及びメタデータ管理サーバにおける、位置情報を登録するまでの処理手順を示したフローチャートである。
【図１７】図１７は、第２の実施形態にかかる、携帯端末装置及びメタデータ管理サーバにおける、シーンに対応する位置情報を表示するまでの処理手順を示したフローチャートである。
【図１８】図１８は、第３の実施形態にかかるメタデータ管理サーバとテレビジョン装置と携帯端末装置との概要を示した図である。
【図１９】図１９は、第３の実施形態にかかる携帯端末装置及びメタデータ管理サーバにおける、シーンに対応する位置情報を表示するまでの処理手順を示したフローチャートである。
【発明を実施するための形態】
【０００９】
（第１の実施形態）
図１は、第１の実施形態にかかるメタデータ管理サーバ１５０とテレビジョン装置１００の概要を示した図である。図１に示すように、メタデータ管理サーバ１５０とテレビジョン装置１００との間でデータが送受信される。
【００１０】
メタデータ管理サーバ１５０は、番組コンテンツに関連する位置情報を複数の端末（例えば、テレビジョン装置１００や、携帯端末装置等）から収集、管理するサーバとする。
【００１１】
テレビジョン装置１００は、ユーザが番組コンテンツを参照している際に、表示している番組コンテンツ及び表示しているシーンを識別する情報と、当該番組コンテンツに関連する場所を示す位置情報と、含めたデータ１０１を、メタデータ管理サーバ１５０に対して送信する。
【００１２】
そして、メタデータ管理サーバ１５０は、テレビジョン装置１００に対して、当該テレビジョン装置１００が表示している番組コンテンツに関連する位置情報等の集合１０２を送信する。これにより、テレビジョン装置１００は、番組コンテンツに関連する位置情報を表示できる。
【００１３】
このように、本実施形態においては、複数の端末により、多数の人から得られた位置情報をメタデータ管理サーバ１５０が管理する。そして、電子機器（例えば、テレビジョン装置１００や携帯端末装置等）が、メタデータ管理サーバ１５０との間でデータを送受信することで、番組コンテンツで紹介された場所を示す位置情報を取得し、当該位置情報を含む地図情報の表示を可能とする。
【００１４】
図２は、テレビジョン装置１００のハードウェア構成を示した図である。図２に示すように、テレビジョン装置１００は、アンテナ１２で受信したデジタルテレビジョン放送信号を、入力端子１３を介してチューナ部１４に供給することにより、所望のチャンネルの放送信号を選局することが可能になっている。
【００１５】
チューナ部１４は受信した放送信号を復調復号部１５に出力する。復調復号部１５は、入力された放送信号をデジタルの映像信号及び音声信号等に復元し、入力信号処理部１６に出力する。
【００１６】
テレビジョン装置１００には、テレビジョン装置１００の外部からデジタルの映像信号又は音声信号を直接入力するための入力端子２１が設けられている。入力端子２１を介して入力されたデジタルの映像信号及び音声信号は、記録再生処理部２９に入力される。
【００１７】
操作部２４は、（図示しない）筐体に設けられ、電源のオン・オフを行うスイッチ、チャンネルを切り替えるスイッチ等を備えている。受信部２６は、リモートコントローラ（以下、リモコンと略称する）２５から信号を受信して受信した信号を制御部４０に出力する。制御部４０は、操作部２４またはリモコン２５におけるユーザの操作に基づいて再生、チャンネル切替、録画予約等の指示を受付ける。
【００１８】
ディスクドライブ部２７は、例えばＤＶＤ（Digital  Versatile  Disk）等の光ディスク２８に対してデジタルデータの記録再生を行う。ディスクドライブ部２７は、制御部４０の指示に基づいて光ディスク２８からデジタルの映像信号、音声信号を読み出し、記録再生処理部２９に出力する。また、ディスクドライブ部２７は、記録再生処理部２９から入力されたデジタルの映像信号、音声信号を光ディスク２８に記録する。
【００１９】
ＨＤＤ２０は、内部に備えるハードディスクに対する記録および再生を行う。ＨＤＤ２０は、制御部４０の指示に基づいてハードディスクからデジタルの映像信号、音声信号を読み出し、記録再生処理部２９に出力する。また、ＨＤＤ２０は、記録再生処理部２９から入力されたデジタルの映像信号、音声信号をハードディスクに記録する。
【００２０】
記録再生処理部２９は、復調復号部１５、入力端子２１、ディスクドライブ部２７、ＨＤＤ２０、図示しないネットワークインタフェースから入力されるデジタルの映像信号、音声信号を暗号化し所定の記録フォーマットに変換する。そして変換後の信号をディスクドライブ部２７またはＨＤＤ２０に出力する。また、記録再生処理部２９は、ディスクドライブ部２７またはＨＤＤ２０から読み出されたデジタルの映像信号、音声信号を複合化して、入力信号処理部１６に出力する。
【００２１】
入力信号処理部１６は、復調復号部１５または記録再生処理部２９から入力されたデジタルの映像信号及び音声信号に対して所定のデジタル信号処理を施す。入力信号処理部１６は、デジタルの映像信号を映像処理部１７に出力し、デジタルの音声信号を音声処理部１８に出力する。
【００２２】
映像処理部１７は、入力信号処理部１６または制御部４０から入力されたデジタルの映像信号を、ディスプレイ３で表示可能なフォーマットのアナログ映像信号に変換して、ディスプレイ３に入力する。ディスプレイ３は、映像処理部１７から出力されたアナログ映像信号によって、番組の視聴画面や、その他の映像等を表示する。
【００２３】
音声処理部１８は、入力信号処理部１６から入力されたデジタルの音声信号を、後段のスピーカ１９で再生可能なフォーマットのアナログ音声信号に変換して、スピーカ１９に入力する。スピーカ１９は、音声処理部１８から入力されたアナログ音声信号に基づいて音声を再生する。
【００２４】
制御部４０は、チューナ部１４、記録再生処理部２９、入力信号処理部１６、操作部２４、受信部２６、ディスクドライブ部２７、ＨＤＤ（Hard  Disk  Drive）２０、図示しないネットワークインタフェース等とバスやインタフェースによって接続されており、これら各部の動作を制御する。また、制御部４０は、視聴者による操作部２４やリモートコントローラ２５の操作に基づいて、制御部４０に接続された上記各部を制御し、番組視聴、チャンネル切替、番組の録画予約、映像コンテンツ等の処理を行う。
【００２５】
また、制御部４０は、図２に示すように、ＣＰＵ（Central  Processing  Unit）４０ａと、ＣＰＵ４０ａが実行する制御プログラムを格納したＲＯＭ（Read  Only  Memory）４０ｂと、該ＣＰＵ４０ａに作業エリアを提供するためのＲＡＭ（Random  Access  Memory）４０ｃとを備えている。
【００２６】
図３は、メタデータ管理サーバ１５０のハードウェア構成を示した図である。図３に示すようにメタデータ管理サーバ１５０は、ＣＰＵ５１と、ＲＯＭ（Read  Only  Memory）５２と、ＲＡＭ５３と、ＨＤＤ、ＣＤドライブ装置などの記憶部５４と、通信Ｉ／Ｆ５５と、を備えており、通常のコンピュータを利用したハードウェア構成となっている。
【００２７】
図４は、第１の実施形態にかかるテレビジョン装置１００とメタデータ管理サーバ１５０とのソフトウェア構成を示した図である。
【００２８】
テレビジョン装置１００とメタデータ管理サーバ１５０とは、ネットワーク２５０を介して接続されている。さらに本実施形態では、マップ管理サーバ２６０がネットワーク２５０に接続されている。マップ管理サーバ２６０は、ネットワーク２５０を介して接続された他の装置に対して、地図情報を提供する。
【００２９】
メタデータ管理サーバ１５０は、位置メタデータ記憶部２５１と、送受信部２５２と、位置メタデータ登録部２５３と、位置メタデータ取得部２５４と、フィルタリング部２５５と、を備え、電子機器から受け付けた位置情報等を蓄積、管理する。
【００３０】
位置メタデータ記憶部２５１は、電子機器（例えば、テレビジョン装置１００）から受信した位置情報等を記憶する。図５は、位置メタデータ記憶部２５１のテーブル構造を示した図である。図５に示すように、位置メタデータ記憶部２５１は、機器識別情報と、コンテンツ識別情報と、シーン識別情報と、位置情報と、付加情報と、を対応付けて記憶している。
【００３１】
機器識別情報は、位置情報の登録要求を行った電子機器（例えばテレビジョン装置１００）を識別する情報とする。機器識別情報は、機器を識別する情報であればどのような情報でもよく、例えば、ＭＡＣアドレス等でも良い。また、機器識別情報の代わりに、登録要求を行ったユーザを識別するユーザＩＤ等であっても良い。
【００３２】
コンテンツ識別情報は、コンテンツを識別する情報とする。本実施形態では、コンテンツが番組の場合であり、番組名、放送局、開始日時等をコンテンツ識別情報として用いる。
【００３３】
また、コンテンツは、番組に制限するものではなく、ストリーミング放送やネットワーク配信によるコンテンツや、ＤＶＤやＢｌｕ-ｒａｙ等の記憶媒体で提供されるコンテンツであっても良い。この場合、コンテンツ識別情報は、ストリーミング放送やネットワーク配信によるコンテンツや、ＤＶＤやＢｌｕ-ｒａｙ等の記憶媒体で提供されるコンテンツを識別する情報となる。
【００３４】
シーン識別情報は、コンテンツ内のシーンを識別する情報とする。本実施形態では、シーン識別情報として、再生開始してからの経過時間（ｓ）でシーンを識別することとしたが、チャプターなどの他の情報を用いても良い。
【００３５】
位置情報は、マップ管理サーバ２６０が提供する地図情報上の位置を特定するために用いられる緯度経度情報とする。なお、位置情報は、地図情報又は実際の場所を特定する情報であればよく、例えば地図情報上の座標等であっても良い。
【００３６】
付加情報は、位置情報が示す位置に関連して、ユーザにより入力された文字列等の情報とする。付加情報としては、当該位置に存在する店舗名や、当該店舗に関する感想等が含まれる。
【００３７】
送受信部２５２は、ネットワーク２５０を介して接続された電子機器（例えばテレビジョン装置１００）との間でデータの送受信を行う。
【００３８】
例えば、送受信部２５２は、テレビジョン装置１００から、コンテンツ識別情報と、当該コンテンツのシーンを示すシーン識別情報と、当該シーンに関連する、地図情報上の位置を指し示す位置情報と、を受信する。
【００３９】
位置メタデータ登録部２５３は、送受信部２５２が受信したコンテンツ識別情報と、シーン識別情報と、位置情報と、を対応付けて位置メタデータ記憶部２５１に登録する。
【００４０】
位置メタデータ取得部２５４は、電子機器から、コンテンツに関連する位置情報の取得要求を送受信部２５２が受信した場合に、取得要求と共に受信したコンテンツ識別情報を検索キーとして、位置メタデータ記憶部２５１から、機器識別情報と、コンテンツ識別情報と、シーン識別情報と、位置情報と、付加情報と、を対応付けて取得する。
【００４１】
フィルタリング部２５５は、位置メタデータ取得部２５４が取得した各種情報に対してフィルタリングを行う。
【００４２】
このフィルタリングは、本実施形態が不特定多数の人から受け付けた位置情報等を位置メタデータ記憶部２５１が記憶していることに基づく。つまり、不特定多数の人から受信した位置情報等を登録しているため、故意又は過失により、誤った位置情報等が入力される可能性がある。このように、不特定多数の人から得られた位置情報には正しい位置情報だけではなく外れ値も存在するという問題、悪意のある人が特定の位置情報をピンポイントで投稿することによるセキュリティー上の問題が存在する。そこで、これら問題を解消するためにフィルタリングを行うこととした。
【００４３】
本実施形態にかかるフィルタリング部２５５は、外れ位置情報も含まれているという問題を解消するために、外れ位置情報を除外するフィルタリングを行う。本実施形態にかかるフィルタリング部２５５は、位置メタデータ取得部２５４が取得した複数個の位置情報のうち、複数の位置情報の平均値を基準として所定の範囲から外れた位置情報を除外する処理を行う。なお、複数の位置情報の平均値を基準とすることに制限するものではなく、確からしいと考えられる任意の位置情報を基準としてもよい。
【００４４】
また、フィルタリング部２５５は、ピンポイントで悪意のある人が投稿し続けるという問題を解消するために、特定の電子機器から同一地点に多数の投稿があった場合、その位置情報を除外するフィルタリングを行う。本実施形態にかかるフィルタリング部２５５は、位置メタデータ取得部２５４が取得した複数個の位置情報のうち、同一の機器識別情報と対応付けられた位置情報の数が所定の数以上の場合、当該同一の機器識別情報と対応付けられた位置情報を除外する。なお、所定の数は、実施の態様に応じて設定されるものとする。
【００４５】
他には、フィルタリング部２５５が、特定の電子機器から、同一地点に多数の投稿があった場合、当該位置情報の重み付けを軽くして平均値を表示するようフィルタリングを行っても良い。
【００４６】
そして、送受信部２５２は、フィルタリング部２５５によりフィルタリングされた後の、機器識別情報、コンテンツ識別情報、シーン識別情報、位置情報、及び付加情報を対応付けて、位置情報の取得要求を送信した電子機器に対して送信する。これにより、電子機器は、コンテンツのシーンに関する位置情報の表示が可能となる。また、フィルタリングされた後、任意のシーン識別情報と対応付けられた位置情報が複数存在する場合、送受信部２５２は、当該複数の位置情報を全て送信しても良いし、これら複数の位置情報の平均値を送信しても良い。その際、フィルタリング部２５５が位置情報を除外しているのであれば、送受信部２５２は、除外された位置情報を除いた上で、複数の位置情報の集合から算出された平均値を、機器識別情報、コンテンツ識別情報、シーン識別情報、及び付加情報と対応付けて送信してもよい。
【００４７】
テレビジョン装置１００は、番組情報記憶部２０１と、送受信部２０２と、番組情報受信部２０３と、位置情報入力受付部２０４と、表示制御部２０５と、位置メタデータ要求部２０６と、取得部２０７と、を備える。
【００４８】
番組情報受信部２０３は、ＥＰＧ（Electronic  Program  Guide）等の電子番組ガイドを受信する。
【００４９】
番組情報記憶部２０１は、番組情報受信部２０３が受信した電子番組ガイドの情報を番組に関する情報として記憶する。
【００５０】
送受信部２０２は、ネットワーク２５０を介して、メタデータ管理サーバ１５０等の他の装置との間でデータの送受信を行う。
【００５１】
表示制御部２０５は、地図情報表示制御部２１１を備え、コンテンツをディスプレイ３に対して表示制御を行う。
【００５２】
地図情報表示制御部２１１は、マップ管理サーバ２６０から受信した地図情報の表示制御を行う。
【００５３】
取得部２０７は、メタデータ管理サーバ１５０に登録の対象となるコンテンツのシーンに関する情報を取得する。本実施形態にかかる取得部２０７は、表示制御部２０５が表示制御しているコンテンツに関する番組情報を番組情報記憶部２０１から取得する。
【００５４】
この番組情報には、番組のタイトル、放送局（例えば、テレビ局名、又はネットワークＩＤ及びサービスＩＤの組）、番組開始日時、番組詳細情報から抽出された位置に関するキーワード（例えば、北海道）が含まれている。本実施形態では、番組のタイトル、放送局、及び番組開始日時の組み合わせを、コンテンツを一意に特定できるコンテンツ識別情報とする。
【００５５】
また、取得部２０７は、表示制御部２０５がコンテンツの再生表示を開始してからの経過時間を、コンテンツのシーンを識別するシーン識別情報として取得する。
【００５６】
位置情報入力受付部２０４は、表示制御部２０５が表示しているコンテンツのシーンに関連する場所を指し示す位置情報の入力を受け付ける。位置情報入力受付部２０４は、ディスプレイ３での２画面同時表示のうち１画面に表示された地図情報から、位置情報の入力を受け付けてもよい。
【００５７】
図６は、第１の実施形態にかかるテレビジョン装置１００における、位置情報の入力を受け付ける際の画面例を示した図である。位置情報入力受付部２０４は、図６に示す地図情報４０１に対する、位置情報の入力を受け付ける。また、位置情報入力受付部２０４は、欄４０２に店舗名や感想などの付加情報の入力を受け付ける。そして、（図示しない）リモートコントローラの所定のボタンの押下により、送信処理が開始される。
【００５８】
そして、送受信部２０２が、メタデータ管理サーバ１５０に対して、取得部２０７が取得したコンテンツ識別情報と、取得部２０７が取得したシーン識別情報と、位置情報入力受付部２０４が入力を受け付けた位置情報と、位置情報入力受付部２０４が入力を受け付けた付加情報と、を対応付けて送信する。これにより、メタデータ管理サーバ１５０が、コンテンツに関連する位置情報の登録を行うことができる。
【００５９】
また、テレビジョン装置１００では、コンテンツのシーンに関連する位置情報を表示できる。その際、位置メタデータ要求部２０６が、表示制御部２０５が表示しているコンテンツ識別情報と共に、位置情報の取得要求を、送受信部２５２を介して、メタデータ管理サーバ１５０に対して送信する。
【００６０】
この取得要求に伴い、送受信部２５２が、メタデータ管理サーバ１５０から、コンテンツ識別情報と、シーン識別情報と、位置情報と、付加情報と、を対応付けて受信する。送受信部２５２は、任意のシーン識別情報と対応付けられた位置情報を複数受信してもよいし、任意のシーン識別情報と対応付けられた、複数の位置情報の集合の平均値を受信してもよい。
【００６１】
そして、地図情報表示制御部２１１は、マップ管理サーバ２６０から取得した地図情報上に、受信した位置情報が示す場所を表示する。その際、当該位置情報と対応付けられた付加情報も表示してもよい。
【００６２】
本実施形態では、ディスプレイ３が２画面表示を行うことができる。そこで、表示制御部２０５が、一方の画面にコンテンツの表示制御を行い。地図情報表示制御部２１１が、他方の画面に地図情報の表示制御を行う。
【００６３】
図７は、本実施形態にかかる表示制御部２０５及び地図情報表示制御部２１１が表示する画面例を示した図である。図７に示すように、表示制御部２０５は、コンテンツの再生表示を行う。そして、地図情報表示制御部２１１は、コンテンツの再生表示してからの経過時間と一致する、シーン識別情報と対応付けられた位置情報を表示する。
【００６４】
また、同一のシーン識別情報と対応付けられた位置情報が複数ある場合に、地図情報表示制御部２１１は、複数の位置情報の平均値を表示しても良い。
【００６５】
次に、テレビジョン装置１００及びメタデータ管理サーバ１５０における位置情報を登録するまでの処理手順について説明する。図８は、本実施形態にかかるテレビジョン装置１００及びメタデータ管理サーバ１５０における上述した処理手順を示したフローチャートである。
【００６６】
まず、テレビジョン装置１００の表示制御部２０５が、番組コンテンツの再生を行う（ステップＳ５０１）。そして、テレビジョン装置１００の位置情報入力受付部２０４は、位置情報投稿ボタンの押下を受け付ける（ステップＳ５０２）。
【００６７】
これに伴い、取得部２０７が、現在表示している番組コンテンツの番組情報、及び現在表示しているシーンを識別するシーン識別情報を取得する（ステップＳ５０３）。
【００６８】
そして、位置情報入力受付部２０４は、再生している番組コンテンツのシーンに関する、位置情報の入力を受け付ける（ステップＳ５０４）。その後、位置情報入力受付部２０４は、位置に関する付加情報の入力を受け付ける（ステップＳ５０５）。
【００６９】
そして、送受信部２０２が、取得した番組情報に含まれているコンテンツ識別情報と、シーン識別情報と、位置情報と、付加情報と、を対応付けて、メタデータ管理サーバに対して送信する（ステップＳ５０６）。
【００７０】
そして、メタデータ管理サーバ１５０の送受信部２５２が、テレビジョン装置１００から、コンテンツ識別情報と、シーン識別情報と、位置情報と、付加情報と、を対応付けて受信する（ステップＳ５１１）。
【００７１】
そして、位置メタデータ登録部２５３は、受信したコンテンツ識別情報、シーン識別情報、位置情報、付加情報に加えて、送信元のテレビジョン装置１００を識別する機器識別情報を対応付けて、位置メタデータ記憶部２５１に登録する（ステップＳ５１２）。
【００７２】
上述した処理手順により、メタデータ管理サーバ１５０は、ネットワーク２５０を介して接続された各種電子機器からの、コンテンツのシーンに関する位置情報の収集が可能となる。
【００７３】
次に、テレビジョン装置１００及びメタデータ管理サーバ１５０における、シーンに対応する位置情報を表示するまでの処理手順について説明する。図９は、テレビジョン装置１００及びメタデータ管理サーバ１５０における上述した処理手順を示したフローチャートである。
【００７４】
まず、テレビジョン装置１００の表示制御部２０５が、番組コンテンツの再生開始を行う（ステップＳ６０１）。そして、取得部２０７が、番組情報記憶部２０１から、再生中の番組情報を取得する（ステップＳ６０２）。
【００７５】
そして、位置メタデータ要求部２０６が、取得した番組情報に含まれているコンテンツ識別情報と共に、位置情報の取得要求を、メタデータ管理サーバ１５０に対して送信する（ステップＳ６０３）。
【００７６】
そして、メタデータ管理サーバ１５０は、コンテンツ識別情報と共に、コンテンツ識別情報で識別される番組コンテンツの位置情報の取得要求を受信する（ステップＳ６１１）。
【００７７】
そして、位置メタデータ取得部２５４が、受信したコンテンツ識別情報と一致するレコードの集合を、位置メタデータ記憶部２５１から取得する（ステップＳ６１２）。そして、フィルタリング部２５５は、取得したレコードの集合に対して、フィルタリングを行う（ステップＳ６１３）。なお、フィルタリング手法は、上述したため説明を省略する。
【００７８】
そして、送受信部２５２が、フィルタリングした後のレコードに含まれている、位置情報、シーン識別情報、コンテンツ識別情報、及び付加情報を対応付けて、テレビジョン装置１００に送信する（ステップＳ６１４）。
【００７９】
これにより、テレビジョン装置１００の送受信部２０２は、位置情報、シーン識別情報、コンテンツ識別情報、及び付加情報を受信する（ステップＳ６０４）。そして、地図情報表示制御部２１１は、表示制御部２０５が再生表示しているシーンと対応する位置情報を、地図情報上に表示制御する（ステップＳ６０５）。なお、地図情報は、マップ管理サーバ２６０から取得した情報とする。
【００８０】
上述した処理手順により、テレビジョン装置１００は、メタデータ管理サーバ１５０から取得した位置情報を表示することができる。
【００８１】
（第２の実施形態）
第１の実施形態では、メタデータ管理サーバ１５０とテレビジョン装置１００とで位置情報の登録、表示を行う例について説明した。しかしながら、これら二つの装置間で行うことに制限するものではない。そこで、本実施形態では、コンテンツを表示するテレビジョン装置以外に、位置情報の登録、表示を行う携帯端末装置を用いた例について説明する。
【００８２】
図１０は、第２の実施形態にかかるメタデータ管理サーバ１５０とテレビジョン装置７００と携帯端末装置７５０との概要を示した図である。
【００８３】
携帯端末装置７５０は、テレビジョン装置７００に表示されている番組コンテンツに関連する場所を示す位置情報の入力の受付、及び位置情報の表示を行う。
【００８４】
テレビジョン装置７００は、ユーザが番組コンテンツを参照している際に、表示している番組コンテンツ及び表示しているシーンを識別する情報と、当該番組コンテンツに関連する場所を示す位置情報と、含めたデータ７０１を、メタデータ管理サーバ１５０に対して送信する。
【００８５】
携帯端末装置７５０は、テレビジョン装置７００から、テレビジョン装置７００が表示している番組情報７０５を受信する。これにより、携帯端末装置７５０は、テレビジョン装置７００が表示していた番組コンテンツ及び表示していたシーンを識別する情報と、当該番組コンテンツに関連する場所を示す位置情報と、含めたデータ７０３を、メタデータ管理サーバ１５０に対して送信する。
【００８６】
メタデータ管理サーバ１５０は、テレビジョン装置７００に対して、当該テレビジョン装置７００が表示している番組コンテンツに関連する位置情報等の集合７０２を送信する。また、メタデータ管理サーバ１５０は、携帯端末装置７５０に対して、当該テレビジョン装置７００が表示している番組コンテンツに関連する位置情報等の集合７０４を送信する。これにより、テレビジョン装置７００及び携帯端末装置７５０は、番組コンテンツに関連する位置情報を表示できる。
【００８７】
このように、本実施形態においては、複数の端末から得られた位置情報をメタデータ管理サーバ１５０が管理する。そして、電子機器（例えば、テレビジョン装置７００や携帯端末装置７５０等）が、メタデータ管理サーバ１５０との間でデータを送受信することで、番組コンテンツで紹介された場所を示す位置情報を特定し、当該位置情報を含む地図情報の表示を可能とする。
【００８８】
図１１は、携帯端末装置７５０のハードウェア構成を示した図である。図１１に示すように携帯端末装置７５０は、ＣＰＵ７１と、ＲＯＭ（Read  Only  Memory）７２と、ＲＡＭ７３と、タッチパネルなどの入力部７４と、表示装置７５と、ＨＤＤ及びＣＤドライブ装置などの記憶部７６と、通信Ｉ／Ｆ７７と、を備えており、通常のコンピュータを利用したハードウェア構成となっている。
【００８９】
図１２は、本実施形態にかかるテレビジョン装置７００とメタデータ管理サーバ１５０と携帯端末装置７５０とのソフトウェア構成を示した図である。以下の説明では、上述した第１の実施形態と同一の構成要素には同一の符号を付してその説明を省略している。
【００９０】
テレビジョン装置７００は、テレビジョン装置１００とは、位置メタデータ要求部２０６が削除され、位置情報入力受付部２０４が削除され、番組情報出力制御部８０３が追加され、送受信部２０２とは処理が異なる送受信部８０１に変更され、表示制御部２０５とは処理が異なる表示制御部８０２に変更されている点で異なる。
【００９１】
表示制御部８０２は、第１の実施形態の表示制御部２０５とは、地図情報表示制御部２１１が削除された点で異なる。
【００９２】
送受信部８０１は、第１の実施形態にかかる送受信部２０２が行う処理のほか、携帯端末装置７５０ともデータの送受信を行う。
【００９３】
番組情報出力制御部８０３は、送受信部８０１を介して、表示制御部８０２が表示している番組に関する番組情報を、携帯端末装置７５０に対して送信する。その際、番組情報出力制御部８０３は、テレビジョン装置７００が当該番組の再生開始時刻も、携帯端末装置７５０に対して送信する。
【００９４】
携帯端末装置７５０は、送受信部８５１と、位置情報入力受付部８５２と、地図情報表示制御部８５３と、位置メタデータ要求部８５４と、番組情報取得部８５５と、を備える。
【００９５】
送受信部８５１は、ネットワーク２５０を介して、メタデータ管理サーバ１５０及びテレビジョン装置７００等の他の装置との間でデータの送受信を行う。
【００９６】
地図情報表示制御部８５３は、マップ管理サーバ２６０から受信した地図情報の表示制御を行う。また、シーン識別情報と対応付けられた位置情報は一つとは限らない。シーン識別情報と対応付けられた位置情報が複数ある場合、地図情報表示制御部８５３は、取得した位置情報をすべて地図情報上にプロットしてもよいし、取得した位置情報の平均値を地図上にプロットしてもよい。
【００９７】
地図情報表示制御部８５３の表示態様については様々な態様が考えられる。例えば、地図情報表示制御部８５３は、位置情報の平均値からかけ離れている値を除外し、それ以外の位置情報をすべて表示制御してもよい。他の態様としては、地図情報表示制御部８５３は、位置情報の集合において、特定の位置が集中している場合、当該位置情報のみ表示制御する。さらには、地図情報表示制御部８５３は、機器識別情報でフィルタリングし、特定の電子機器から送信された位置情報のみを表示制御してもよい。
【００９８】
番組情報取得部８５５は、送受信部８５１を介して、テレビジョン装置７００が送信した番組情報を取得する。これにより、番組情報取得部８５５は、テレビジョン装置７００が表示している番組コンテンツに関する番組情報を取得できる。また、番組情報取得部８５５は、テレビジョン装置７００が再生開始した番組の再生開始時刻も取得する。
【００９９】
位置情報入力受付部８５２は、番組のシーンに関連する位置情報の入力を受け付ける。図１３は、位置情報の入力を受け付ける際の画面例を示した図である。位置情報入力受付部８５２は、図１３に示す地図情報１６０１に対する、位置情報の入力を受け付ける。また、位置情報入力受付部８５２は、欄１６０２に店舗名や感想などの付加情報の入力を受け付ける。
【０１００】
そして、送受信部８５１が、取得した番組情報に含まれるコンテンツ識別情報と、シーン識別情報と、位置情報と、付加情報と、を対応付けて、メタデータ管理サーバ１５０に対して送信する。なお、シーン識別情報は、テレビジョン装置７００が再生開始時刻から、位置情報の入力を受け付けるまでの経過時間とする。
【０１０１】
また、携帯端末装置７５０では、テレビジョン装置７００が表示しているコンテンツのシーンに関連する位置情報を表示できる。その際、位置メタデータ要求部８５４は、番組情報取得部８５５が取得した番組情報に含まれるコンテンツ識別情報と共に、位置情報の取得要求を、送受信部８５１を介して、メタデータ管理サーバ１５０に対して送信する。
【０１０２】
この取得要求に伴い、送受信部８５１が、メタデータ管理サーバ１５０から、コンテンツ識別情報と、シーン識別情報と、位置情報と、付加情報と、を対応付けて受信する。送受信部８５１は、任意のシーン識別情報と対応付けられた位置情報を複数受信してもよいし、任意のシーン識別情報と対応付けられた、複数の位置情報の集合の平均値を受信してもよい。
【０１０３】
そして、番組情報取得部８５５が、テレビジョン装置７００の番組コンテンツの再生開始時刻を予め取得しているため、地図情報表示制御部８５３は、テレビジョン装置７００が表示している番組コンテンツのシーンに合わせて、位置情報の表示制御を行うことができる。
【０１０４】
図１４は、テレビジョン装置７００の表示制御部８０２及び携帯端末装置７５０の地図情報表示制御部８５３が表示する画面例１を示した図である。図１４に示すように、テレビジョン装置７００が表示している番組コンテンツのシーンに従って、携帯端末装置７５０は、位置情報、当該位置情報と対応付けられた付加情報１７０１の更新表示を行う。
【０１０５】
また、携帯端末装置７５０が、受信した全ての位置情報を表示し、表示した位置情報から任意の位置情報の選択を受け付けた時に、テレビジョン装置７００が、選択を受け付けた位置情報の関連するシーンの再生表示を行っても良い。
【０１０６】
図１５は、テレビジョン装置７００の表示制御部８０２及び携帯端末装置７５０の地図情報表示制御部８５３が表示する画面例２を示した図である。図１５に示す例では、携帯端末装置７５０の地図情報表示制御部８５３が、ユーザからの操作に基づいて、受信した全ての位置情報を表示している。そして、位置情報入力受付部８５２が、表示している位置情報から、位置情報１８０１の入力を受け付けた場合に、当該位置情報と対応付けられたシーン識別情報を特定し、送受信部８５１が、シーン識別情報と共に、当該シーンの再生要求を、テレビジョン装置７００に対して送信する。これにより、テレビジョン装置７００は、ユーザから入力を受け付けた位置情報に関連するシーンの再生表示を可能とする。
【０１０７】
次に、テレビジョン装置７００、携帯端末装置７５０及びメタデータ管理サーバ１５０における位置情報を登録するまでの処理手順について説明する。図１６は、第２の実施形態にかかる携帯端末装置７５０及びメタデータ管理サーバ１５０における上述した処理手順を示したフローチャートである。
【０１０８】
まず、テレビジョン装置７００の表示制御部８０２が、番組コンテンツの再生を行う（ステップＳ１１０１）。
【０１０９】
一方で、携帯端末装置７５０の位置情報入力受付部８５２は、位置情報投稿ボタンの押下を受け付ける（ステップＳ１１１１）。
【０１１０】
その後、番組情報取得部８５５が、テレビジョン装置７００に対して、現在表示している番組コンテンツの番組情報の取得要求を送信する（ステップＳ１１１２）。
【０１１１】
そして、テレビジョン装置７００の送受信部８０１が、番組情報の取得要求を受信した場合（ステップＳ１１０２）、番組情報出力制御部８０３が、現在表示している番組に関する番組情報及び当該番組の再生開始時刻を取得する（ステップＳ１１０３）。そして、送受信部８０１が、取得した番組情報及び当該番組の再生開始時刻を送信する（ステップＳ１１０４）。
【０１１２】
そして、携帯端末装置７５０の送受信部８５１が、テレビジョン装置７００で再生中の番組情報及び当該番組の再生開始時刻を受信する（ステップＳ１１１３）。その後、位置情報入力受付部８５２が、位置情報の入力を受け付ける（ステップＳ１１１４）。
【０１１３】
さらに、位置情報入力受付部８５２は、位置に関する付加情報の入力を受け付ける（ステップＳ１１１５）。そして、送受信部８５１が、番組情報に含まれているコンテンツ識別情報、シーン識別情報、位置情報及び付加情報を、メタデータ管理サーバ１５０に対して送信する（ステップＳ１１１６）。なお、シーン識別情報は、再生開始時刻から、位置情報の入力を受け付けるまでの経過時間とする。
【０１１４】
そして、メタデータ管理サーバ１５０の送受信部２５２が、テレビジョン装置１００から、コンテンツ識別情報と、シーン識別情報と、位置情報と、付加情報と、を対応付けて受信する（ステップＳ１１２１）。
【０１１５】
そして、位置メタデータ登録部２５３は、受信したコンテンツ識別情報、シーン識別情報、位置情報、付加情報に加えて、送信元の携帯端末装置７５０を識別する機器識別情報を対応付けて、位置メタデータ記憶部２５１に登録する（ステップＳ１１２２）。
【０１１６】
上述した処理手順により、メタデータ管理サーバ１５０は、ネットワーク２５０を介して接続された各種電子機器からの、コンテンツのシーンに関する位置情報の収集が可能となる。
【０１１７】
次に、携帯端末装置７５０及びメタデータ管理サーバ１５０における、シーンに対応する位置情報を表示するまでの処理手順について説明する。図１７は、携帯端末装置７５０及びメタデータ管理サーバ１５０における上述した処理手順を示したフローチャートである。なお、テレビジョン装置７００の表示制御部８０２が、番組コンテンツの再生開始を予め行っているものとする。
【０１１８】
番組情報取得部８５５が、送受信部８５１を介して、テレビジョン装置７００から、テレビジョン装置７００で再生中の番組情報を取得する（ステップＳ１２０１）。
【０１１９】
そして、位置メタデータ要求部８５４が、取得した番組情報に含まれているコンテンツ識別情報と共に、位置情報の取得要求を、メタデータ管理サーバ１５０に対して送信する（ステップＳ１２０２）。
【０１２０】
そして、第１の実施形態の図９のステップＳ６１１〜Ｓ６１４と同様の手順で、メタデータ管理サーバ１５０の送受信部２５２が、フィルタリングした後のレコードに含まれている、位置情報、シーン識別情報、コンテンツ識別情報、及び付加情報を対応付けて、テレビジョン装置１００への送信まで行う（ステップＳ１２１１〜Ｓ１２１４）。
【０１２１】
これにより、携帯端末装置７５０の送受信部８５１は、位置情報、シーン識別情報、コンテンツ識別情報、及び付加情報を受信する（ステップＳ１２０３）。そして、地図情報表示制御部８５３は、テレビジョン装置７００の表示制御部８０２が再生表示しているシーンと対応する位置情報を、地図情報上に表示制御する（ステップＳ１２０４）。なお、地図情報は、マップ管理サーバ２６０から取得した情報とする。
【０１２２】
上述した処理手順により、携帯端末装置７５０は、メタデータ管理サーバ１５０から取得した位置情報を表示することができる。
【０１２３】
（第３の実施形態）
第１の実施形態及び第２の実施形態では、メタデータ管理サーバ１５０側でフィルタリングを行う例について説明した。しかしながら、フィルタリングを行うのをメタデータ管理サーバ１５０側で行うことに制限するものではない。そこで、本実施形態では、携帯端末装置７５０でフィルタリングを行う例について説明する。
【０１２４】
図１８は、第３の実施形態にかかるメタデータ管理サーバ１３００とテレビジョン装置７００と携帯端末装置１３５０との概要を示した図である。以下の説明では、上述した第１の実施形態と同一の構成要素には同一の符号を付してその説明を省略している。
【０１２５】
メタデータ管理サーバ１３００は、第１の実施形態にかかるメタデータ管理サーバ１５０とは、フィルタリング部２５５が削除されている点で異なる。
【０１２６】
携帯端末装置１３５０は、第２の実施形態にかかる携帯端末装置７５０とは、フィルタリング部１３５１が追加された点で異なる。
【０１２７】
フィルタリング部１３５１は、送受信部８５１が取得したデータに対してフィルタリングを行う。フィルタリングの手法は、第１の実施形態のメタデータ管理サーバ１５０が行う処理と同様とする。
【０１２８】
例えば、送受信部８５１が、一つのコンテンツ識別情報及び当該シーン識別情報と対応付けられた位置情報を複数個受信した場合に、フィルタリング部１３５１は、複数個の位置情報のうち、複数の位置情報の平均値を基準として所定の範囲から外れた位置情報を表示対象から除外する処理を行う。また、送受信部８５１は、位置情報を複数個受信した場合に、フィルタリング部１３５１が、他の位置情報と比べて外れた位置情報を除外し、除外した後の複数の位置情報の集合から平均値を算出し、地図情報表示制御部８５３が、当該平均値となる位置情報を表示しても良い。
【０１２９】
さらには、送受信部８５１が受信した、同一の機器識別情報と対応付けられた同一の位置情報の数が所定の数以上の場合、当該位置情報を表示対象から除外する。
【０１３０】
次に、携帯端末装置１３５０及びメタデータ管理サーバ１３００における、シーンに対応する位置情報を表示するまでの処理手順について説明する。図１９は、携帯端末装置１３５０及びメタデータ管理サーバ１３００における上述した処理手順を示したフローチャートである。
【０１３１】
まずは、携帯端末装置１３５０及びメタデータ管理サーバ１３００が、図１７のステップＳ１２０１、Ｓ１２０２、Ｓ１２１１、及びＳ１２１２の処理で、受信したコンテンツ識別情報を含むレコードの集合の取得まで行う（ステップＳ１５０１、Ｓ１５０２、Ｓ１５１１、Ｓ１５１２）。
【０１３２】
そして、送受信部２５２が、取得したレコードに含まれている、機器識別情報、位置情報、シーン識別情報、コンテンツ識別情報及び付加情報を対応付けて、携帯端末装置７５０に送信する（ステップＳ１５１３）。なお、送受信部２５２は、機器識別情報を送信する点で、第２の実施形態と異なる。
【０１３３】
次に、携帯端末装置７５０の送受信部８５１は、機器識別情報、位置情報、シーン識別情報、コンテンツ識別情報及び付加情報を受信する（ステップＳ１５０３）。
【０１３４】
その後、フィルタリング部１３５１が、受信した機器識別情報、位置情報、シーン識別情報、コンテンツ識別情報、及び付加情報に対するフィルタリングを行う（ステップＳ１５０４）。なお、フィルタリング手法は、上述した通りとして説明を省略する。
【０１３５】
そして、地図情報表示制御部８５３は、フィルタリングされた後の位置情報のうち、テレビジョン装置７００の表示制御部８０２が再生表示しているシーンと対応する位置情報を、地図情報上に表示制御する（ステップＳ１５０５）。
【０１３６】
以上説明したとおり、第１〜第３の実施形態によれば、番組コンテンツの提供者側が番組コンテンツのシーンに関する位置情報を提供すること無く、ユーザは番組コンテンツのシーンに関する位置情報を利用できる。これにより、番組コンテンツの提供者側の負担を軽減すると共に、ユーザの利便性と向上させることができる。
【０１３７】
第１〜第３の実施形態のテレビジョン装置、及び携帯端末装置で実行される位置情報処理プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
【０１３８】
また、第１〜第３の実施形態のテレビジョン装置、及び携帯端末装置で実行される位置情報処理プログラムを、インターネット等のネットワークに接続されたコンピュータ上に格納し、ネットワーク経由でダウンロードさせることにより提供するように構成しても良い。また、第１〜第３の実施形態のテレビジョン装置、及び携帯端末装置で実行される位置情報処理プログラムをインターネット等のネットワーク経由で提供または配布するように構成しても良い。
【０１３９】
また、第１〜第３の実施形態のテレビジョン装置、及び携帯端末装置で実行される位置情報処理プログラムを、ＲＯＭ等に予め組み込んで提供するように構成してもよい。
【０１４０】
第１〜第３の実施形態のテレビジョン装置、及び携帯端末装置で実行される位置情報処理プログラムは、上述した各部を含むモジュール構成となっており、実際のハードウェアとしてはＣＰＵ（プロセッサ）が上記記憶媒体から位置情報処理プログラムを読み出して実行することにより上記各部が主記憶装置上にロードされ、上述した各部構成が主記憶装置上に生成されるようになっている。
【０１４１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１４２】
１００、７００…テレビジョン装置、１５０、１３００…メタデータ管理サーバ、２０１…番組情報記憶部、２０２、８０１…送受信部、２０３…番組情報受信部、２０４…位置情報入力受付部、２０５、８０２…表示制御部、２０６…位置メタデータ要求部、２０７…取得部、２１１…地図情報表示制御部、２５０…ネットワーク、２５１…位置メタデータ記憶部、２５２…送受信部、２５３…位置メタデータ登録部、２５４…位置メタデータ取得部、２５５…フィルタリング部、２６０…マップ管理サーバ、８０３…番組情報出力制御部、７５０、１３５０…携帯端末装置、８５１…送受信部、８５２…位置情報入力受付部、８５３…地図情報表示制御部、８５４…位置メタデータ要求部、８５５…番組情報取得部、１３５１…フィルタリング部
【図１】
2013031129.tif 000003
【図２】
2013031129.tif 000004
【図３】
2013031129.tif 000005
【図４】
2013031129.tif 000006
【図５】
2013031129.tif 000007
【図６】
2013031129.tif 000008
【図７】
2013031129.tif 000009
【図８】
2013031129.tif 000010
【図９】
2013031129.tif 000011
【図１０】
2013031129.tif 000012
【図１１】
2013031129.tif 000013
【図１２】
2013031129.tif 000014
【図１３】
2013031129.tif 000015
【図１４】
2013031129.tif 000016
【図１５】
2013031129.tif 000017
【図１６】
2013031129.tif 000018
【図１７】
2013031129.tif 000019
【図１８】
2013031129.tif 000020
【図１９】
2013031129.tif 000021